(57)【要約】【課題】  高揮発性有機化合物にも揮発性有機化合物にも含まれないで、かつ、優れた溶解性を備えた石油系溶剤を提供する。【解決手段】  高揮発性有機化合物（ただし、沸点範囲<０℃〜５０-１００℃とする）及び揮発性有機化合物（ただし、沸点範囲５０-１００℃〜２４０-２６０℃とする）に属さない高沸点石油系溶剤（ただし、沸点範囲２６０℃〜４００℃とする）であって、環分析において３０％〜８０％のナフテン系炭化水素及び同じく環分析において５％〜１０％の芳香族系炭化水素を含むナフテン系溶剤であることにより、優れた安全性と溶解性の双方を備えた高沸点石油系溶剤。【特許請求の範囲】
【請求項１】
高揮発性有機化合物（ただし、沸点範囲<０℃〜５０-１００℃とする）及び揮発性有機化合物（ただし、沸点範囲５０-１００℃〜２４０-２６０℃とする）に属さない高沸点石油系溶剤（ただし、沸点範囲２６０℃〜４００℃とする）であって、
環分析３０％〜８０％のナフテン系炭化水素を含むナフテン系溶剤であることにより溶解性に優れている
ことを特徴とする高沸点石油系溶剤。
【請求項２】
ナフテン系原油の蒸留により得られる低粘度潤滑油留分（ただし、４０℃における動粘度を７．０〜９．０ｍｍ２／ｓとする）を、多環芳香族炭化水素を３質量％未満にまで減少させながら芳香族炭化水素及びナフテン系炭化水素の総量をほとんど減少させずに高温高圧水素化精製し、次いで精密蒸留して得られた沸点範囲２６０℃〜４００℃の間の留分で、環分析において３０％〜８０％のナフテン系炭化水素及び同じく環分析において５％〜１０％の芳香族炭化水素を含む
ことを特徴とする高沸点石油系溶剤。
【請求項３】
アニリン点が５０℃〜７０℃である
ことを特徴とする請求項１又は２記載の高沸点石油系溶剤。
【請求項４】
３乃至５段階にナローカットしてある
ことを特徴とする請求項２又は３記載の高沸点石油系溶剤。
【発明の詳細な説明】
【技術分野】
【０００１】
本発明は、クリーニング用、金属洗浄用、印刷用インキ等の用途に適した物性を有する高沸点石油系溶剤に関するものである。
【背景技術】
【０００２】
各種溶剤のうち、常温で揮発するものは一般に速乾性と溶解性に優れているため作業を行う上でたいへん便利である。このため、一般に広く利用されている。
【発明の開示】
【発明が解決しようとする課題】
【０００３】
しかし、上記した各種溶剤の中には、たとえば、沸点範囲０℃〜２００℃の留分からなるものがある。この沸点範囲の留分には、たとえば、沸点８０℃のベンゼン、沸点１１０℃のトルエン、さらに、沸点１４０℃のキシレン等が含まれている。ここに例示した成分は何れも吸引暴露により人体に悪影響を与え、大気汚染の原因になるといわれている。
【０００４】
また、財団法人日本環境協会のエコマーク事務局では、世界保健機関（ＷＨＯ）が発表した化学物質の分類を基に沸点範囲<０℃〜５０-１００℃の留分を高揮発性有機化合物（ＶＶＯＣ）と、沸点範囲５０-１００℃〜２４０-２６０℃の留分を揮発性有機化合物（ＶＯＣ）と、それぞれ定義し、これらの留分の使用削減を求めている。そのような使用削減に応ずるために考えられるのは、沸点範囲を高めることである。しかし、単に沸点温度を高めただけでは、溶解性の点で不満が残る。本発明は、高揮発性有機化合物にも揮発性有機化合物にも含まれないで、かつ、優れた溶解性を備えた石油系溶剤の提供を目的とする。
【課題を解決するための手段】
【０００５】
上記目的を達成するために本発明に係る高沸点石油系溶剤は、高揮発性有機化合物（ただし、沸点範囲<０℃〜５０-１００℃とする）及び揮発性有機化合物（ただし、沸点範囲５０-１００℃〜２４０-２６０℃とする）に属さない高沸点石油系溶剤（ただし、沸点範囲２６０℃〜４００℃とする）であって、環分析において３０％〜８０％のナフテン系炭化水素及び同じく環分析において５％〜１０％の芳香族系炭化水素を含むナフテン系溶剤であることにより溶解性に優れていることを特徴とする。
【０００６】
上記高沸点石油系溶剤は、原油を上記沸点範囲となるように減圧蒸留して得られる留分からなり、上記範囲のナフテン系炭化水素及び芳香族系炭化水素を含むものである。上記沸点範囲内であれば、その中で任意の沸点範囲を選択することができる。沸点範囲を上記のとおり設定したのは、そのように設定することにより、高揮発性有機化合物にも揮発性有機化合物にも含まれない留分を得るためである。したがって、このようにして得た留分は、ベンゼン、トルエン、キシレン等の高揮発性有機化合物や揮発性有機化合物に含まれる有害物質を含まない。また、国際的な動きとなっている揮発性有機化合物の削減対象にも該当しない。他方、比較的多量のナフテン系炭化水素を含むため、従来の溶剤に劣らない溶解性（溶解力）を得ることができる。したがって、安全で使い勝手のよい石油系溶剤である。
【０００７】
また、本発明に係る高沸点石油系溶剤は、ナフテン系原油の蒸留により得られる低粘度潤滑油留分（ただし、４０℃における動粘度を７．０〜９．０ｍｍ２／ｓとする）を、多環芳香族炭化水素を３質量％未満にまで減少させながらナフテン系炭化水素及び芳香族系炭化水素の総量をほとんど減少させずに高温高圧水素化精製し、次いで精密蒸留して得られた沸点範囲２６０℃〜４００℃の留分で環分析において３０％〜８０％のナフテン系炭化水素及び同じく環分析において５％〜１０％の芳香族系炭化水素を含むことを特徴とする。
【０００８】
潤滑油留分の動粘度は、４０℃において７．０〜９．０ｍｍ２／ｓが好ましいのは、動粘度７．０ｍｍ２／ｓ未満では、揮発性有機化合物に該当する低沸点の有機化合物が一部含まれる場合がある点で問題があり、動粘度９．０ｍｍ２／ｓを超えると溶解性が劣る点で問題があるからである。多環芳香族炭化水素を３質量％未満に抑えたのは、ヨーロッパ統一基準であるＰＣＡ３質量％未満の基準を満足させるためである。ＰＣＡ３質量％未満の基準の測定法は、ＩＰ３４６に定められている。芳香族炭化水素及びナフテン系炭化水素の総量をほとんど減少させずに高温高圧水素化精製すれば、残存する芳香族炭化水素及びナフテン系炭化水素が石油系溶剤の優れた溶解性の実現に寄与する。ナフテン系炭化水素にしろ芳香族炭化水素にしろ、その残存量は、出発原料であるナフテン系原油が保有するナフテン系炭化水素及び芳香族炭化水素の量に依存する。次いで、高温高圧水素化精製した留分を、精密蒸留し沸点範囲２６０℃〜４００℃の留分を得る。溶剤の用途に合わせて沸点範囲２６０℃〜４００℃の間で任意にナローカットすることができる。この段階で、高揮発性有機化合物や揮発性有機化合物が排除され、この結果、精密蒸留により得た留分が高揮発性有機化合物や揮発性有機化合物に含まれるベンゼン、トルエン、キシレン等の有害物質を含まなくなる。また、その留分は、環分析３０％〜８０％のナフテン系炭化水素及び環分析５％〜１０％の芳香族炭化水素を含むため、高揮発性有機化合物又は揮発性有機化合物からなる溶剤に劣らない溶解性を示す。なお、高温高圧水素化精製することにより得た留分は、米国労働安全局が定めた安全基準（ＯＳＨＡ基準）を満足させる。これが、発ガンの危険性があると認められた軽度水素化精製等を採用できない理由である。
【０００９】
好ましいアニリン点は、５０℃〜７０℃である。たとえば、３乃至５段階にナローカットするとよい。用途に合わせた溶剤の提供を行うためである。
【発明の効果】
【００１０】
本発明に係る溶剤によれば、高揮発性有機化合物にも揮発性有機化合物にも含まれないで、かつ、優れた溶解性を備えている。したがって、各種用途に用いたときに優れた安全性と溶解性の双方を期待することができる。
【発明を実施するための最良の形態】
【００１１】
本発明に係る石油系溶剤の製造方法について、より具体的に説明する。本実施例により、本発明が限定されるものでないことは言うまでもなく、種々の変形が可能である。
【実施例１】
【００１２】
本発明に係る高沸点溶剤（以下、単に「溶剤」という）は、ナフテン系原油を出発原料とし、これを減圧蒸留して常圧換算温度で２６０〜５００℃のナフテン系留分を得た。このナフテン系留分を水素化精製装置によって高温高圧精製を行った。このようにして得た留分を精密蒸留して沸点範囲２６０℃〜４００℃の間で複数のグレード（１〜４）にナローカットした溶剤を得た。この溶剤の性状は、表１に示すとおりである。
【００１３】
【表１】
2005154660.tif 000002
【００１４】
〔溶剤の評価試験〕
（１）樹脂の溶解性
表１に示すように、グレード１〜４におけるアニリン点は５９．９℃〜６８．４℃であり溶解性に優れていることが分かった。グレード１の溶剤は例えば接着剤用として、グレード２の溶剤は例えばウレタン溶剤用として、グレード３の溶剤は例えば印刷インク用として、そしてグレード４の溶剤は例えば各種クリーニング用として、好適に使用することができる。溶剤の用途は、もちろん、上述したものに限るものではない。
（２）溶剤の安全性
表１に示すように、高温高圧水素化精製された溶剤は、ＯＳＨＡ基準及びＰＣＡ３質量％未満の両基準を満足させていた。また、蒸留温度を前記した範囲に設定してあるため、高揮発性有機化合物や揮発性有機化合物は検出されなかった。